(57)【要約】【課題】挿入された手の角度や挿入方向に応じて手の水滴を吹き飛ばし効率よく乾燥を行う手乾燥装置を供給する。【解決手段】天面に複数個、横方向に設けた手検知部５の手検知センサー７の信号を制御する制御部６には、手の挿入角度を記憶する記憶装置９を備えたものであり、制御部６は、過去に手検知部５の手検知センサー７が検知した手の挿入角度を記憶し、最も頻度の高い挿入角度と同一方向に、ルーバー１０の向きを制御をさせて予め待機することで、運転開始直後から手に送風させて、乾燥時間の短縮を図ることができる。【選択図】図１
2009165617.tif 000002
【特許請求の範囲】
【請求項１】
外部に向かって開口した挿入口から手を抜き差しできる乾燥室と、前記乾燥室内の底部の水受け部に向けて空気を送出するノズルと前記ノズルから空気を送出するファンモーターと、前記乾燥室の開口した挿入口から手を抜き差しされたことを検知するように天面に複数個の手検知センサーを横方向に並べて設けた手検知部と、前記手検知部からの信号により前記ファンモーターを動作させる制御部と、前記制御部には手の挿入角度の信号を記憶する記憶装置を備えた手乾燥装置であって、過去に検知した手の挿入角度を記憶し、最も頻度の高い挿入角度と同一方向に、前記ノズル内に設けたルーバーの向きを予め設定して待機することを特徴とする手乾燥装置。
【請求項２】
天面に並べた手検知センサーのうち真中に位置する手検知センサーは、検知方向を可動自在に構成し、挿入された手の中心に追従することを特徴とする制御部を備えた請求項１に記載の手乾燥装置。
【請求項３】
ノズル内に可動自在に設けたルーバーと、手の動きにあわせて前記ルーバーの向きを追従する機能を有する制御部を備えた請求項１または２に記載の手乾燥装置。
【請求項４】
ノズル内に可動自在に設けたルーバーは、挿入された手が非検知となったら、追加された挿入角度のデータを更新し、最新結果によりノズル内のルーバーの設定を変更し待機することを特徴とする制御部を備えた請求項１〜３のいずれかに記載の手乾燥装置。
【請求項５】
外部に向かって開口した挿入口から手を抜き差しできる乾燥室と、前記乾燥室内の底部の水受け部に向けて空気を送出するノズルと前記ノズルから空気を送出するファンモーターと、前記乾燥室の開口した挿入口から手を抜き差しされたことを検知するように、側面に複数個の手検知センサーを縦方向に並べて設けた手検知部と、前記手検知部からの信号により前記ファンモーターを動作させる制御部と、前記制御部には手の挿入角度の信号を記憶する記憶装置を備えた手乾燥装置であって、過去に検知した手の挿入角度を記憶し、最も頻度の高い挿入角度と同一方向に前記ノズル内に設けたルーバーの向きに予め設定して待機することを特徴とする手乾燥装置。
【請求項６】
側面に並べた手検知センサーのうち真中に位置する手検知センサーは、検知方向を可動自在に構成し、挿入された手の中心に追従することを特徴とする制御部を備えた請求項５に記載の手乾燥装置。
【請求項７】
ノズル内に可動自在に設けたルーバーと、手の動きにあわせて前記ルーバーの向きを追従する機能を有する制御部を備えた請求項５または６に記載の手乾燥装置。
【請求項８】
ノズル内に可動自在に設けたルーバーは、挿入された手が非検知となったら、追加された挿入角度のデータを更新し、最新結果によりノズル内のルーバーの設定を変更し待機することを特徴とする制御部を備えた請求項５〜７のいずれかに記載の手乾燥装置。
【請求項９】
外部に向かって開口した挿入口から手を抜き差しできる乾燥室と、前記乾燥室内の底部の水受け部に向けて空気を送出するノズルと前記ノズルから空気を送出するファンモーターと、前記乾燥室の開口した挿入口から手を抜き差しされたことを二方向から検知するように、天面と側面に複数個の手検知センサーをそれぞれ横方向と縦方向に並べて設けた手検知部と、前記手検知部からの信号より前記ファンモーターを動作させる制御部と、前記制御部には手の挿入角度の信号を記憶する記憶装置を備えた手乾燥装置であって、過去に検知した手の挿入角度を記憶し、最も頻度の高い挿入角度と同一方向に、ノズル内のルーバーの向きに予め設定して待機することを特徴とする手乾燥装置。
【請求項１０】
天面と側面に並べた手検知センサーの信号を検知する制御部には記憶装置を備え、それぞれの面の真中の手検知センサーは、検知方向を可動自在に構成し、挿入された手の中心に追従することを特徴とする制御部を備えたことを特徴とする請求項９に記載の手乾燥装置。
【請求項１１】
ノズル内に可動自在に設けたルーバーと、手の動きにあわせて前記ルーバーの向きを追従する機能を有する制御部を備えた請求項９または１０に記載の手乾燥装置。
【請求項１２】
ノズル内に可動自在に設けたルーバーは、挿入された手が非検知となったら、追加された挿入角度のデータを更新し、最新結果よりノズル内のルーバーの設定を変更し待機することを特徴とする制御部を備えた請求項９〜１１のいずれかに記載の手乾燥装置。
【請求項１３】
前記乾燥室の開口した挿入口には、挿入した手の位置に対応させて吸い込み方向の異なる複数個の吸込み口を設け、手検知センサー検知した手の挿入角度の信号により、吸込み口を変更する制御部を備えたことを特徴とする請求項９〜１２のいずれかに記載の手乾燥装置。
【発明の詳細な説明】
【技術分野】
【０００１】
本発明は、手を効率的に乾燥させる手乾燥装置に関するものである。
【背景技術】
【０００２】
洗浄後の濡れた手を衛生的に乾燥させる装置として、高速空気流により手に付着した水滴を吹き飛ばして乾燥させる手乾燥装置が知られている（例えば、特許文献１参照）。
【０００３】
この装置は、本体の乾燥室に手を挿入するための開口部が設けられ、乾燥室の壁面に傾けて設けられた赤外線発光素子と赤外線受光素子からなる手検出部が設けられている。
【０００４】
手検出部により手を検知すると本体に内蔵された送風装置が作動し、吹き出し口から乾燥室へ高速空気流が噴射して、手に付着した水分を吹き飛ばして、手を乾燥させる構成となっていた。
【特許文献１】特開平１１―３１８７６０号公報
【発明の開示】
【発明が解決しようとする課題】
【０００５】
このような従来の手乾燥装置では、乾燥室への手の挿入角度とノズルから手に付着した水滴を吹き飛ばす高速空気の向きが異なるため、一部の高速空気流は手の水滴を吹き飛ばすことなく、水受け部に送風されて、効率的な乾燥ができないという課題があった。
【０００６】
本発明は、このような従来の課題を解決するものであり、横方向の手の挿入角度の確率結果より、運転開始直後から手に送風させることで、乾燥時間の短縮を図ることができる手乾燥装置を提供することを目的としている。
【０００７】
また、商品の設置場所や使用者の体格のより、手の挿入方向が異なるが、ノズルからの送風される空気の方向を変更できないという課題があつた。
【０００８】
本発明は、このような従来の課題を解決するものであり、天面に並べた手検知センサーのうち、真中の手検知センサーの検知より、手の中心を求め、追従する制御を行うことで、確実に手に送風することが可能となることができる手乾燥装置を提供することを目的としている。
【課題を解決するための手段】
【０００９】
本発明の手乾燥装置は、上記目標を達成するため、外部に向かって開口した挿入口から手を抜き差しできる乾燥室と、前記乾燥室内の底部の水受け部に向けて空気を送出するノズルと前記ノズルから空気を送出するファンモーターと、前記乾燥室の開口した挿入口から手を抜き差しされたことを検知するように天面に複数個の手検知センサーを横方向に並べて設けた手検知部と、前記手検知部からの信号により前記ファンモーターを動作させる制御部と、前記制御部には手の挿入角度の信号を記憶する記憶装置を備えた手乾燥装置であって、過去に検知した手の挿入角度を記憶し、最も頻度の高い挿入角度と同一方向に、前記ノズル内に設けたルーバーの向きを予め設定して待機することを特徴とする。
【００１０】
この手段によれば、横方向の手の挿入角度の確率結果より、運転開始直後から手に送風させることで、乾燥時間の短縮を図ることができる手乾燥装置が得られる。
【００１１】
また、他の手段は、天面に並べた手検知センサーのうち真中に位置する手検知センサーは、検知方向を可動自在に構成し、挿入された手の中心に追従することを特徴とする制御部を備えたものである。
【００１２】
この手段によれば、天面に並べた手検知センサーのうち真中の手検知センサーの検知より、手の中心を求め、追従する制御を行うことで、確実に手に送風することが可能となる手乾燥装置が得られる。
【００１３】
また、他の手段は、ノズル内に可動自在に設けたルーバーと、手の動きにあわせて前記ルーバーの向きを追従する機能を有する制御部を備えたものである。
【００１４】
この手段によれば、手の動きを認識した天面に並べた真中の手検知センサーより、手の動きに応じてノズル内のルーバーの向きを追従することが可能となり、乾燥時間の短縮を図ることができる手乾燥装置が得られる。
【００１５】
また、他の手段は、ノズル内に可動自在に設けたルーバーは、挿入された手が非検知となったら、追加された挿入角度のデータを更新し、最新結果によりノズル内のルーバーの設定を変更し待機することを特徴とする制御部を備えたものである。
【００１６】
この手段によれば、天面に並べた手検知センサーが非検知になった時点で、手の挿入角度の最新情報にデータを更新し、ルーバーの設定を変更することで、迅速に使用者が求める送風角度と同一方向にすることが可能となり、乾燥時間の短縮を図ることができる手乾燥装置が得られる。
【００１７】
また、他の手段は、外部に向かって開口した挿入口から手を抜き差しできる乾燥室と、前記乾燥室内の底部の水受け部に向けて空気を送出するノズルと前記ノズルから空気を送出するファンモーターと、前記乾燥室の開口した挿入口から手を抜き差しされたことを検知するように、側面に複数個の手検知センサーを縦方向に並べて設けた手検知部と、前記手検知部からの信号により前記ファンモーターを動作させる制御部と、前記制御部には手の挿入角度の信号を記憶する記憶装置を備えた手乾燥装置であって、過去に検知した手の挿入角度を記憶し、最も頻度の高い挿入角度と同一方向に前記ノズル内に設けたルーバーの向きに予め設定して待機するものである。
【００１８】
この手段によれば、縦方向の手の挿入角度の確率結果より、運転開始直後から手に送風させることで、乾燥時間の短縮を図ることができる手乾燥装置が得られる。
【００１９】
また、他の手段は、側面に並べた手検知センサーのうち真中に位置する手検知センサーは、検知方向を可動自在に構成し、挿入された手の中心に追従することを特徴とする制御部を備えたものである。
【００２０】
この手段によれば、側面に並べた手検知センサーのうち、真中の手検知センサーの検知より、手の中心を求め、追従する制御を行うことで、確実に手に送風することができる手乾燥装置が得られる。
【００２１】
また、他の手段は、ノズル内に可動自在に設けたルーバーと、手の動きにあわせて前記ルーバーの向きを追従する機能を有する制御部を備えたものである。
【００２２】
この手段によれば、手の動きを認識した真中の手検知センサーより、手の動きに応じてノズル内のルーバーの向きを追従することが可能となり、乾燥時間の短縮を図ることができる手乾燥装置が得られる。
【００２３】
また、他の手段は、ノズル内に可動自在に設けたルーバーは、挿入された手が非検知となったら、追加された挿入角度のデータを更新し、最新結果によりノズル内のルーバーの設定を変更し待機することを特徴とする制御部を備えたものである。
【００２４】
この手段によれば、側面に並べた手検知センサーが非検知になった時点で、手の挿入角度の最新情報にデータを更新し、ルーバーの設定を変更することで、迅速に使用者が求める送風角度と同一方向にすることが可能となり、乾燥時間の短縮を図ることができる手乾燥装置が得られる。
【００２５】
また、他の手段は、外部に向かって開口した挿入口から手を抜き差しできる乾燥室と、前記乾燥室内の底部の水受け部に向けて空気を送出するノズルと前記ノズルから空気を送出するファンモーターと、前記乾燥室の開口した挿入口から手を抜き差しされたことを二方向から検知するように、天面と側面に複数個の手検知センサーをそれぞれ横方向と縦方向に並べて設けた手検知部と、前記手検知部からの信号より前記ファンモーターを動作させる制御部と、前記制御部には手の挿入角度の信号を記憶する記憶装置を備えた手乾燥装置であって、過去に検知した手の挿入角度を記憶し、最も頻度の高い挿入角度と同一方向に、ノズル内のルーバーの向きに予め設定して待機することを特徴とする。
【００２６】
この手段によれば、縦横方向の手の挿入角度の確率結果より、運転開始直後から手に送風させることで、乾燥時間の短縮を図ることができる手乾燥装置が得られる。
【００２７】
また、他の手段は、天面と側面に並べた手検知センサーの信号を検知する制御部には記憶装置を備え、それぞれの面の真中の手検知センサーは、検知方向を可動自在に構成し、挿入された手の中心に追従することを特徴とする制御部を備えたものである。
【００２８】
この手段によれば、天面と側面に並べた手検知センサーのうちそれぞれ真中の手検知センサーの検知より、手の中心を求め、追従する制御を行うことで、確実に手に送風することができる手乾燥装置が得られる。
【００２９】
また、他の手段は、ノズル内に可動自在に設けたルーバーと、手の動きにあわせて前記ルーバーの向きを追従する機能を有する制御部を備えたものである。
【００３０】
この手段によれば、手の動きを認識した真中の手検知センサーより、手の動きに応じてノズル内のルーバーの向きを追従することが可能となり、乾燥時間の短縮を図ることができる手乾燥装置が得られる。
【００３１】
また、他の手段は、ノズル内に可動自在に設けたルーバーは、挿入された手が非検知となったら、追加された挿入角度のデータを更新し、最新結果よりノズル内のルーバーの設定を変更し待機することを特徴とする制御部を備えたものである。
【００３２】
この手段によれば、天面と側面に並べた手検知センサーが非検知になった時点で、手の挿入角度の最新情報にデータを更新し、ルーバーの設定を変更することで、迅速に使用者が求める送風角度と同一方向にすることが可能となり、乾燥時間の短縮を図ることができる手乾燥装置が得られる。
【００３３】
また、他の手段は、前記乾燥室の開口した挿入口には、挿入した手の位置に対応させて吸い込み方向の異なる複数個の吸込み口を設け、手検知センサー検知した手の挿入角度の信号により、吸込み口を変更する制御部を備えたものである。
【００３４】
この手段によれば、天面と側面に並べた手検知センサーが、検知した手の挿入角度に応じて、吸引する吸込み口を変更させるが可能となり、手に付着した水分を適切な位置から吸引して乾燥室外への水滴の飛散防止することができる手乾燥装置が得られる。
【発明の効果】
【００３５】
本発明によれば、天面に複数個、横方向に設けた手検知部の手検知センサーの信号を制御する制御部には、手の挿入角度を記憶する記憶装置を備えていることにより、挿入角度の頻度の高い方向にルーバーの向きを向けることで、挿入頻度の高い方向へルーバーが向いた状態で待機することができ、次に手が挿入されたときに、いち早く手に風をあてて効率よく乾燥することができる手乾燥装置を提供できる。
【００３６】
また、他の手段は、天面に並べた手検知センサーのうち、真中の手検知センサーは、挿入された手の中心と制御部が認識し、中心を追従することを特徴とする制御部を備えていることにより、確実に手に送風することができる手乾燥装置を提供できる。
【００３７】
さらに、他の手段は、天面に並べた手検知センサーのうち、真中の手検知センサーは、手の動きにあわせてノズル内のルーバーの向きを変更させるルーバー可動手段と追従する機能を有する制御部を備えていることにより、手の動きに応じてノズル内のルーバーの向きを追従することが可能となり、効率よく乾燥し、乾燥時間の短縮を図ることができる手乾燥装置を提供できる。
【００３８】
また、他の手段は、天面に並べた手検知センサーの信号を制御する制御部には、手の挿入角度を記憶し、データを更新する記憶装置を備えていることにより、天面に並べた手検知センサーが非検知になった時点で、手の挿入角度の最新情報にデータを更新し、ルーバーの設定を変更することで、迅速に使用者が求める送風角度と同一方向にすることが可能となり、乾燥時間の短縮を図ることができる手乾燥装置を提供できる。
【００３９】
さらに、側面に複数個、縦方向に設けた手検知部の手検知センサーの信号を制御する制御部には、手の挿入角度を記憶する記憶装置を備えていることにより、挿入頻度の高い方向へルーバーが向いた状態で待機することができ、次に手が挿入されたときにいち早く手に風をあてて効率よく乾燥することができる手乾燥装置を提供できる。
【００４０】
また、他の手段は、側面に並べた手検知センサーのうち、真中の手検知センサーは、挿入された手の中心と制御部が認識し、中心を追従することを特徴とする制御部を備えていることにより、確実に手に送風することができる手乾燥装置を提供できる。
【００４１】
さらに、他の手段は、側面に並べた手検知センサーのうち、真中の手検知センサーは、手の動きにあわせてノズル内のルーバーの向きを変更させるルーバー可動手段と追従する機能を有する制御部を備えていることにより、手の動きに応じてノズル内のルーバーの向きを追従することが可能となり、効率よく乾燥し、乾燥時間の短縮を図ることができる手乾燥装置を提供できる。
【００４２】
また、他の手段は、側面に並べた手検知センサーの信号を制御する制御部には、手の挿入角度を記憶し、データを更新する記憶装置を備えていることにより、側面に並べた手検知センサーが非検知になった時点で、手の挿入角度の最新情報にデータを更新し、ルーバーの設定を変更することで、迅速に使用者が求める送風角度と同一方向にすることが可能となり、乾燥時間の短縮を図ることができる手乾燥装置を提供できる。
【００４３】
また、天面と側面に複数個、縦横方向に空間として設けた手検知部の手検知センサーの信号を制御する制御部には、手の挿入角度を記憶する記憶装置を備えていることにより、挿入頻度の高い方向へルーバーが向いた状態で待機することができ、次に手が挿入されたときにいち早く手に風をあてて効率よく乾燥することができる手乾燥装置を提供できる。
【００４４】
さらに、他の手段は、天面と側面に並べた手検知センサーのうち、真中の手検知センサーは、挿入された手の中心と制御部が認識し、中心を追従することを特徴とする制御部を備えていることにより、確実に手に送風することができる手乾燥装置を提供できる。
【００４５】
また、他の手段は、天面と側面に並べた手検知センサーのうち、真中の手検知センサーは、手の動きにあわせてノズル内のルーバーの向きを変更させるルーバー可動手段と追従する機能を有する制御部を備えていることにより、手の動きに応じてノズル内のルーバーの向きを追従することが可能となり、効率よく乾燥し、乾燥時間の短縮を図ることができる手乾燥装置を提供できる。
【００４６】
さらに、他の手段は、天面と側面に並べた手検知センサーの信号を制御する制御部には、手の挿入角度を記憶し、データを更新する記憶装置を備えていることにより、天面と側面に並べた手検知センサーが非検知になった時点で、手の挿入角度の最新情報にデータを更新し、ルーバーの設定を変更することで、迅速に使用者が求める送風角度と同一方向にすることが可能となり、乾燥時間の短縮を図ることができる手乾燥装置を提供できる。
【００４７】
また、他の手段は、天面と側面に複数個、縦横方向に空間として設けた手検知センサーの挿入角度の信号により、最適な吸込み口を判断する制御部を備えていることにより、天面と側面に並べた手検知センサーが、検知した手の挿入角度に応じて、吸引する吸込み口を変更させるが可能となり、手に付着した水分を適切な位置から吸引して乾燥室外への水滴の飛散防止することができる手乾燥装置を提供できる。
【発明を実施するための最良の形態】
【００４８】
本発明の請求項１記載の発明は、天面に複数個、横方向に設けた手検知部の手検知センサーの信号を制御する制御部には、手の挿入角度を記憶する記憶装置を備えているものであり、制御部は、手検知部が手を検知するごとに検知方向を記憶装置で記憶して、挿入角度の頻度の高い方向にルーバーの向きを向けるという作用を有する。
【００４９】
また、他の手段は、天面に並べた手検知センサーのうち、真中の手検知センサーは、挿入された手の中心と制御部が認識し、中心を追従することを可能とする制御部を備えているものであり、他の手段は、真中に位置する手検知センサーは、挿入された手の中心方向に向けられて挿入された手を検知し続け送風する目標点が容易に設定できるという作用を有する。
【００５０】
また、他の手段は、天面に並べた手検知センサーのうち、真中の手検知センサーは、手の動きにあわせてノズル内のルーバーの向きを変更させるルーバー可動手段と追従する機能を有する制御部を備えているものであり、他の手段は、制御部は、手の動きにあわせて真中の手検知センサーが追従する方向にルーバーの向きをあわせて、送風方向を手の中心方向に向けるという作用を有する。
【００５１】
また、他の手段は、天面に並べた手検知センサーの信号を制御する制御部には、手の挿入角度を記憶し、データを更新する記憶装置を備えているものであり、制御部は、手検知部が手を検知するごとに検知方向を記憶装置で記憶して、さらにデータを更新させて、挿入角度の頻度の高い方向にルーバーの向きを向けるという作用を有する。
【００５２】
また、側面に複数個、縦方向に設けた手検知部の手検知センサーの信号を制御する制御部には、手の挿入角度を記憶する記憶装置を備えているものであり、他の手段は、制御部は、手検知部が手を検知するごとに検知方向を記憶装置で記憶して、挿入角度の頻度の高い方向にルーバーの向きを向けるという作用を有する。
【００５３】
また、他の手段は、側面に並べた手検知センサーのうち、真中の手検知センサーは、挿入された手の中心と制御部が認識し、中心を追従することを特徴とする制御部を備えているものであり、他の手段は、真中に位置する手検知センサーは、挿入された手の中心方向に向けられて挿入された手を検知し続け送風する目標点が容易に設定できるという作用を有する。
【００５４】
また、他の手段は、側面に並べた手検知センサーのうち、真中の手検知センサーは、手の動きにあわせてノズル内のルーバーの向きを変更させるルーバー可動手段と追従する機能を有する制御部を備えているものであり、他の手段は、制御部は、手の動きにあわせて真中の手検知センサーが追従する方向にルーバーの向きをあわせて、送風方向を手の中心方向に向けるという作用を有する。
【００５５】
また、他の手段は、側面に並べた手検知センサーの信号を制御する制御部には、手の挿入角度を記憶し、データを更新する記憶装置を備えているものであり、制御部は、手検知部が手を検知するごとに検知方向を記憶装置で記憶して、さらにデータを更新させて、挿入角度の頻度の高い方向にルーバーの向きを向けるという作用を有する。
【００５６】
また、天面と側面に複数個、縦横方向に空間として設けた手検知部の手検知センサーの信号を制御する制御部には、手の挿入角度を記憶する記憶装置を備えているものであり、他の手段は、制御部は、手検知部が手を検知するごとに検知方向を記憶装置で記憶して、挿入角度の頻度の高い方向にルーバーの向きを向けるという作用を有する。
【００５７】
また、他の手段は、天面と側面に並べた手検知センサーのうち、真中の手検知センサーは、挿入された手の中心と制御部が認識し、中心を追従することを特徴とする制御部を備えているものであり、他の手段は、真中に位置する手検知センサーは、挿入された手の中心方向に向けられて挿入された手を検知し続け送風する目標点が容易に設定できるという作用を有する。
【００５８】
また、他の手段は、天面と側面に並べた手検知センサーのうち、真中の手検知センサーは、手の動きにあわせてノズル内のルーバーの向きを変更させるルーバー可動手段と追従する機能を有する制御部を備えているものであり、他の手段は、制御部は、手の動きにあわせて真中の手検知センサーが追従する方向にルーバーの向きをあわせて、送風方向を手の中心方向に向けるという作用を有する。
【００５９】
また、他の手段は、天面と側面に並べた手検知センサーの信号を制御する制御部には、手の挿入角度を記憶し、データを更新する記憶装置を備えているものであり、制御部は、手検知部が手を検知するごとに検知方向を記憶装置で記憶して、さらにデータを更新させて、挿入角度の頻度の高い方向にルーバーの向きを向けるという作用を有する。
【００６０】
また、他の手段は、天面と側面に複数個、縦横方向に空間として設けた手検知センサーの挿入角度の信号により、最適な吸込み口を判断する制御部を備えているものであり、他の手段は、手の挿入角度に対応させた位置に配置した吸込み口から水分を吸引するという作用を有する。
【００６１】
以下、本発明の実施の形態について図面を参照しながら説明する。
【００６２】
（実施の形態１）
図１は、本実施の形態１における手乾燥装置の側断面図を示す。
【００６３】
図２は、同手乾燥装置の正面斜視図を示す。
【００６４】
図３は、同手乾燥装置の運転に関するブロック構成図を示す。
【００６５】
図１に示すように、外部に向かって開口した挿入口から手を抜き差しできる乾燥室１と、前記乾燥室１内の底部の水受け部２と、前記水受け部２に向けて空気を送出するノズル３と、前記ノズル３から空気を送出するファンモーター４と、前記乾燥室１の開口した挿入口から手を抜き差しされたことを検知する手検知部５と、前記手検知部５からの信号より前記ファンモーター４を動作させる制御部６と、前記手検知部５に複数個、横方向に設けられた手検知センサー７と、手乾燥装置本体８と、横方向の手の挿入角度の信号を検知した前記制御部６に搭載された記憶装置９と、前記ノズル３からの空気の方向を変更できる横方向のルーバー１０と、横方向の前記ルーバー１０は、前記記憶装置９の情報により可動するルーバー可動手段１１を備えた構成である。
【００６６】
また、図２に示すように、前記手検知部５は、前記乾燥室１の開口した挿入口の天面に複数個、横方向に前記手検知センサー７を設けている。
【００６７】
さらに、天面とは、前記ノズル３の周辺で、前記乾燥室１の天井面であり、下方に向けて前記手検知センサー７が配置されている。
【００６８】
また、前記手検知センサー７の一例として、赤外線受発光素子や側距センサーなどを用いて、前記乾燥室１内の手の抜き差しを検知することができる。
【００６９】
さらに、前記手検知部５の前記手検知センサー７からの信号を検知した前記制御部６は、複数個、横方向に配置されている前記手検知センサー７の手を検知した範囲と検知しなかった範囲を認識して、手の横方向の挿入角度を認識することができる。
【００７０】
例えば、図２で説明すると、手を検知した前記手検知センサー７を格子状に表現し、交点に前記手検知センサー７が配置している。
【００７１】
また、横軸をｘ軸、縦軸をｙ軸とし、ｘ軸は、左よりｘ１、ｘ２、ｘ３、ｘ４、ｘ５とし、ｙ軸は、手前より、ｙ１、ｙ２、ｙ３とし、１個の前記手検知センサー７を座標位置で表現し、例えば、ｘ１ｙ１とする。
【００７２】
さらに、検知範囲を認識する方法として、検知し前記手検知センサー７がｘ２ｙ３−ｘ３ｙ３−ｘ３ｙ２−ｘ３ｙ１の４点で囲まれた検知範囲であれば、あらかじめ、検知範囲に対する角度のデータが前記制御部６に登録されてあるため、前記制御部６は、挿入角度を認識することができる。
【００７３】
また、前記制御部６に搭載された記憶装置９は、手の挿入を検知された直後から手の挿入を検知しなくなるまでの間、手の横方向の挿入角度を検知しながら、前記記憶装置９に一時的に座標位置を記憶させている。
【００７４】
さらに、横方向の前記ルーバー１０は、前記ファンモーター４か送出された空気の横方向の角度を変更するものであり、前記ノズル３の手前に配置されている。
【００７５】
また、横方向の前記ルーバー１０は、中心で分割された２つの構造で構成されたものであり、２個の前記ルーバー１０は、横方向に同一角度にできるだけでなく、左右別角度に変更することで、両手が別角度で検知されても対応ができ、前記制御部６により制御が可能である。
【００７６】
例えば、左右の手の納入角度が異なっても最適な角度で前記ルーバー１０を動かすことができる。
【００７７】
さらに、前記ルーバー１０の角度を可動させるための前記ルーバー可動手段１１の一例としては、ステッピングモータが用いられ、前記手検知センサー７が検知した手の挿入角度を認識した前記制御部６は、前記ルーバー可動手段１１へ変更したい角度の情報を伝えることで、前記ルーバー可動手段１１が可動し、前記ルーバー１０の角度を変更し、前記ノズル３からの空気の送風角度を変更することができる。
【００７８】
また、前記手検知部５の前記手検知センサー７と前記制御部６に搭載された前記記憶装置９は、手が挿入を検知された直後から手の挿入を検知しなくなるまでの間、手の横方向の挿入角度を常時検知し、前記記憶装置９に記憶させて、前記制御部６は、挿入角度の累積結果より、最も頻度の高い挿入方向を算出することができる。
【００７９】
さらに、手の挿入が検知されなくなり、前記ファンモーター４が停止してから、前記ルーバー１０の向きを変更するために、前記ルーバー可動手段１１は、前記制御部６が最も頻度の高い挿入方向を判断した結果と同一方向にするために動作し、次回の前記手検知センサー７が反応するまで待機状態を継続する。
【００８０】
また、手の中心を認識するために、前記手検知センサー７のｙ２軸に対するｘ軸の動きに着目し、前記制御部６に搭載された前記記憶装置９は、手の挿入が検知された直後から手の挿入が検知しなくなるまでの間、ｙ２軸に対するｘ軸の動きを一時的に記憶しながら、前記制御部６に手の中心の動きの情報を伝達することができるため、手の中心を認識することができる。
【００８１】
さらに、前記制御部６に伝達された情報は、前記ルーバー１０の前記ルーバー可動手段１１へ伝達され、前記制御部６の高速処理で、手の動きに合わせて前記ルーバー可動手段１１を動作させることで、前記ルーバー１０が可動させることができる。
【００８２】
また、前記ルーバー１０の動作で、常時、手の挿入角度と同一方向に送風することが可能となる。
【００８３】
さらに、図３に示すように、手乾燥装置の運転に関するブロック構成図で説明すると、一般的な動きとしては、手を検知した前記手検知部５は、検知信号を前記制御部６へ送信し、前記制御部６は、前記手検知部５が手を検知している間、前記ファンモーター４の動作を継続する信号を出し続けることで、手を乾燥することができる。
【００８４】
また、本請求項１については、前記手検知部５の前記手検知センサー７の手の検知範囲から挿入角度を認識する処理３１が実施され、手の挿入が検知されなくなり、前記ファンモーター４が停止してから、前記制御部６が最も頻度の高い挿入方向を算出し、結果を前記ルーバー可動手段１１へ、処理３２が実施されて、前記ルーバー１０は、最も頻度の高い挿入方向に設定されたまま待機することになる。
【００８５】
さらに、本請求項２については、手の挿入角度を認識する処理３１が実施された結果より、前記制御部６は、手の中心を認識することができる。
【００８６】
また、本請求項３については、手の挿入角度を認識する処理３１が実施され、前記制御部６は、手の中心を認識した結果より、前記ルーバー可動手段１１へ、処理３２が実施されて、手の動きに合わせて前記ルーバー可動手段１１を動作させることで、前記ルーバー１０が可動させることができ、常時、手の挿入角度と同一方向に送風することが可能となる。
【００８７】
上記構成において、前記手検知部５の前記手検知センサー７より、手の検知の有無だけでなく、手の挿入角度を記憶し、最も頻度の高い挿入角を算出し、ノズル３内のルーバー１０の向きをルーバー可動手段１１にて予め同一方向に設定させて待機することができる。
【００８８】
また、手の検知範囲から手検知部５の真中の手検知センサー７は、挿入された手の中心と認識するようにし、中心を追従することを可能とすることができる。
【００８９】
さらに、手検知部５の真中の手検知センサー７は、手の動きにあわせて自動追従をしながら、同時にノズル３内のルーバー１０の向きもルーバー可動手段１１にて連動させることができる。
【００９０】
また、前記手検知部５の前記手検知センサー７が非検知になったときに、追加された手の挿入角度のデータを更新し、新たに高い挿入角を算出し、ノズル３内のルーバー１０の向きをルーバー可動手段１１にて予め同一方向に設定させて待機することができる。
【００９１】
（実施の形態２）
図４は、本実施の形態２における手乾燥装置の側断面図を示す。
【００９２】
図５は、同手乾燥装置の運転に関するブロック構成図を示す。
【００９３】
図４に示すように、外部に向かって開口した挿入口から手を抜き差しできる前記乾燥室１と、前記乾燥室１内の底部の前記水受け部２と、前記水受け部２に向けて空気を送出する前記ノズル３と、前記ノズル３から空気を送出するファンモーター４と、前記乾燥室１の開口した挿入口から手を抜き差しされたことを検知する手検知部１２と、前記手検知部１２からの信号より前記ファンモーター４を動作させる前記制御部６と、前記手検出部１２に複数個、縦方向に設けられた手検知センサー１３と、前記手乾燥装置本体８と、縦方向の手の挿入角度の信号を検知した前記制御部６に搭載された前記記憶装置９と、前記ノズル３からの空気の方向を変更できる縦方向の前記ルーバー１４と、縦方向の前記ルーバー１４は、前記記憶装置９の情報により可動する前記ルーバー可動手段１１を備えた構成である。
【００９４】
また、前記手検知部１２は、前記乾燥室１の開口した挿入口の側面に複数個、縦方向に前記手検知センサー１３を設けている。
【００９５】
さらに、側面とは、前記ノズル３の周辺で、前記乾燥室１の側面であり、水平に向けて前記手検知センサー１３が配置されている。
【００９６】
また、前記手検知センサー１３の一例として、赤外線受発光素子や側距センサーなどを用いて、前記乾燥室１内の手の抜き差しを検知することができる。
【００９７】
さらに、前記手検知部１２の前記手検知センサー１３からの信号を検知した前記制御部６は、複数個、縦方向に配置されている前記手検知センサー１３の手を検知した範囲と検知しなかった範囲を認識して、手の縦方向の挿入角度を認識することができる。
【００９８】
例えば、図４で説明すると、手を検知した前記手検知センサー１３を格子状に表現し、交点に前記手検知センサー１３が配置している。
【００９９】
また、側断面図からの横軸をｙ軸、縦軸をｚ軸とし、ｙ軸は、左よりｙ１、ｙ２、ｙ３とし、ｚ軸は、上より、ｚ１、ｚ２、ｚ３、ｚ４、ｚ５とし、１個の前記手検知センサー１３を座標位置で表現し、例えば、ｙ１ｚ１とする。
【０１００】
さらに、検知範囲を認識する方法として、検知し前記手検知センサー１３がｙ１ｚ２−ｙ１ｚ３−ｙ２ｚ３−ｙ３ｚ３の４点で囲まれた検知範囲であれば、あらかじめ、検知範囲に対する角度のデータが前記制御部６に登録されてあるため、前記制御部６は、挿入角度を認識することができる。
【０１０１】
また、前記制御部６に搭載された記憶装置９は、手の挿入を検知された直後から手の挿入を検知しなくなるまでの間、手の縦方向の挿入角度を検知しながら、前記記憶装置９に一時的に座標位置を記憶させている。
【０１０２】
さらに、縦方向の前記ルーバー１４は、前記ファンモーター４か送出された空気の縦方向の角度を変更するものであり、前記ノズル３の手前に配置されている。
【０１０３】
また、縦方向の前記ルーバー１４は、中心で分割された２つの構造で構成されたものであり、２個の前記ルーバー１４は、縦方向に同一角度にできるだけでなく、上下別角度に変更することで、両手が別角度で検知されても対応ができ、前記制御部６により制御が可能である。
【０１０４】
例えば、上下の手の納入角度が異なっても最適な角度で前記ルーバー１４を動かすことができる。
【０１０５】
さらに、前記ルーバー１４の角度を可動させるための前記ルーバー可動手段１１の一例としては、ステッピングモータが用いられ、前記センサー７が検知した手の挿入角度を認識した前記制御部６は、前記ルーバー可動手段１１へ変更したい角度の情報を伝えることで、前記ルーバー可動手段１１が可動し、前記ルーバー１４の角度を変更し、前記ノズル３からの空気の送風角度を変更することができる。
【０１０６】
また、前記手検知部１２の前記手検知センサー１３と前記制御部６に搭載された前記記憶装置９は、手が挿入を検知された直後から手の挿入を検知しなくなるまでの間、手の縦方向の挿入角度を常時検知し、前記記憶装置９に記憶させて、前記制御部６は、挿入角度の累積結果より、最も頻度の高い挿入方向を算出することができる。
【０１０７】
さらに、手の挿入が検知されなくなり、前記ファンモーター４が停止してから、前記ルーバー１４の向きを変更するために、前記ルーバー可動手段１１は、前記制御部６が最も頻度の高い挿入方向を判断した結果と同一方向にするために動作し、次回の前記手検知センサー１３が反応するまで待機状態を継続する。
【０１０８】
また、手の中心を認識するために、前記手検知センサー１３のｙ２軸に対するｚ軸の動きに着目し、前記制御部６に搭載された前記記憶装置９は、手の挿入が検知された直後から手の挿入が検知しなくなるまでの間、ｙ２軸に対するｚ軸の動きを一時的に記憶しながら、前記制御部６に手の中心の動きの情報を伝達することができるため、手の中心を認識することができる。
【０１０９】
さらに、前記制御部６に伝達された情報は、前記ルーバー１４の前記ルーバー可動手段１１へ伝達され、前記制御部６の高速処理で、手の動きに合わせて前記ルーバー可動手段１１を動作させることで、前記ルーバー１４が可動させることができる。
【０１１０】
また、前記ルーバー１４の動作で、常時、手の挿入角度と同一方向に送風することが可能となる。
【０１１１】
さらに、図５に示すように、手乾燥装置の運転に関するブロック構成図で説明すると、一般的な動きとしては、手を検知した前記手検知部１２は、検知信号を前記制御部６へ送信し、前記制御部６は、前記手検知部１２が手を検知している間、前記ファンモーター４の動作を継続する信号を出し続けることで、手を乾燥することができる。
【０１１２】
また、本請求項４については、前記手検知部１２の前記手検知センサー１３の手の検知範囲から挿入角度を認識する処理３３が実施され、手の挿入が検知されなくなり、前記ファンモーター４が停止してから、前記制御部６が最も頻度の高い挿入方向を算出し、結果を前記ルーバー可動手段１１へ、処理３４が実施されて、前記ルーバー１４は、最も頻度の高い挿入方向に設定されたまま待機することになる。
【０１１３】
さらに、本請求項５については、手の挿入角度を認識する処理３３が実施された結果より、前記制御部６は、手の中心を認識することができる。
【０１１４】
また、本請求項６については、手の挿入角度を認識する処理３３が実施され、前記制御部６は、手の中心を認識した結果より、前記ルーバー可動手段１１へ、処理３４が実施されて、手の動きに合わせて前記ルーバー可動手段１１を動作させることで、前記ルーバー１４が可動させることができ、常時、手の挿入角度と同一方向に送風することが可能となる。
【０１１５】
上記構成において、前記手検知部１２の前記手検知センサー１３より、手の検知の有無だけでなく、手の挿入角度を記憶し、最も頻度の高い挿入角を算出し、ノズル３内のルーバー１４の向きをルーバー可動手段１１にて予め同一方向に設定させて待機することができる。
【０１１６】
また、手の検知範囲から手検知部１２の真中の手検知センサー１３は、挿入された手の中心と認識するようにし、中心を追従することを可能とすることができる。
【０１１７】
さらに、手検知部１２の真中の手検知センサー１３は、手の動きにあわせて自動追従をしながら、同時にノズル３内のルーバー１４の向きもルーバー可動手段１１にて連動させることができる。
【０１１８】
また、前記手検知部１２の前記手検知センサー１３が非検知になったときに、追加された手の挿入角度のデータを更新し、新たに高い挿入角を算出し、ノズル３内のルーバー１４の向きをルーバー可動手段１１にて予め同一方向に設定させて待機することができる。
【０１１９】
（実施の形態３）
図６は、本実施の形態３における手乾燥装置の側断面図を示す。
【０１２０】
図７は、同手乾燥装置の運転に関するブロック構成図を示す。
【０１２１】
図６に示すように、前記乾燥室１の開口した挿入口から手を抜き差しされたことを検知する前記手検知部５と前記手検知部１２と、前記手検知部５と前記手検知部１２からの信号より前記ファンモーター４を動作させる前記制御部６と、前記手検知部５と前記手検出部１２に複数個、縦横方向に設けられた前記手検知センサー７と前記手検知センサー１３、前記手乾燥装置本体８と、縦横方向の手の挿入角度の信号を検知した前記制御部６に搭載された前記記憶装置９と、前記ノズル３からの空気の方向を変更できる縦横方向の前記ルーバー１０と前記ルーバー１４と、縦横方向の前記ルーバー１０と前記ルーバー１４は、前記記憶装置９の情報により可動する前記ルーバー可動手段１１を備えた構成である。
【０１２２】
また、図６に示すように、前記手検知部５と前記手検知部１２は、前記乾燥室１の開口した挿入口の天面と側面に複数個、縦横方向に前記手検知センサー７と前記手検知センサー１３を設けている。
【０１２３】
さらに、天面と側面とは、前記ノズル３の周辺で、前記乾燥室１の天井面と側面であり、下方と水平に向けて前記手検知センサー７と前記手検知センサー１３が配置されている。
【０１２４】
また、前記手検知センサー７と前記手検知センサー１３の一例として、赤外線受発光素子や側距センサーなどを用いて、前記乾燥室１内の手の抜き差しを検知することができる。
【０１２５】
さらに、前記手検知部５と前記手検知部１２の前記手検知センサー７と前記手検知センサー１３からの信号を検知した前記制御部６は、複数個、縦横方向に配置されている前記手検知センサー７と前記手検知センサー１３の手を検知した範囲と検知しなかった範囲を認識して、手の縦横方向の挿入角度を認識することができる。
【０１２６】
例えば、図６で説明すると、手を検知した前記手検知センサー７と前記手検知センサー１３を格子状に表現し、交点に前記手検知センサー７と前記手検知センサー１３が配置している。
【０１２７】
また、側断面図からの斜軸をｘ軸、横軸をｙ軸、縦軸をｚ軸とし、ｘ軸は、斜め上方から中心に、ｘ１、ｘ２、ｘ３、ｘ４、ｘ５とし、ｙ軸は、左より、ｙ１、ｙ２、ｙ３とし、ｚ軸は、上より、ｚ１、ｚ２、ｚ３、ｚ４、ｚ５とし、２個の前記手検知センサー７と手検知センサー１３の交点を座標位置で表現し、例えば、ｘ１ｙ１ｚ１とする。
【０１２８】
さらに、検知範囲を認識する方法として、検知し前記手検知センサー７と前記センサー１３がｘ２ｙ１ｚ２−ｘ３ｙ１ｚ２−ｘ２ｙ１ｚ３−ｘ３ｙ１ｚ３−ｘ２ｙ３ｚ３−ｘ３ｙ３ｚ３の６点で囲まれた検知範囲であれば、あらかじめ、検知範囲に対する角度のデータが前記制御部６に登録されてあるため、前記制御部６は、挿入角度を認識することができる。
【０１２９】
また、前記制御部６に搭載された前記記憶装置９は、手の挿入を検知された直後から手の挿入を検知しなくなるまでの間、手の縦横方向の挿入角度を検知しながら、前記記憶装置９に一時的に座標位置を記憶させている。
【０１３０】
さらに、縦横方向の前記ルーバー１０と前記ルーバー１４は、前記ファンモーター４か送出された空気の縦横方向の角度を変更するものであり、前記ノズル３の手前に配置されている。
【０１３１】
また、縦横方向の前記ルーバー１０と前記ルーバー１４は、中心で分割された２つの構造で構成されたものであり、２個の前記ルーバー１０と前記ルーバー１４は、縦横方向に同一角度にできるだけでなく、上下左右別角度に変更することで、両手が別角度で検知されても対応ができ、前記制御部６により制御が可能である。例えば、左右の手の納入角度が異なっても最適な角度で前記ルーバー１０と前記ルーバー１４を動かすことができる。
【０１３２】
さらに、前記ルーバー１０と前記ルーバー１４の角度を可動させるための前記ルーバー可動手段１１の一例としては、ステッピングモータが用いられ、前記手検知センサー７が検知した手の挿入角度を認識した前記制御部６は、前記ルーバー可動手段１１へ変更したい角度の情報を伝えることで、前記ルーバー可動手段１１が可動し、前記ルーバー１０と前記ルーバー１４の角度を変更し、前記ノズル３からの空気の送風角度を変更することができる。
【０１３３】
また、前記手検知部５と前記手検知部１２の前記手検知センサー７と前記手検知センサー１３と前記制御部６に搭載された前記記憶装置９は、手が挿入を検知された直後から手の挿入を検知しなくなるまでの間、手の縦横方向の挿入角度を常時検知し、前記記憶装置９に記憶させて、前記制御部６は、挿入角度の累積結果より、最も頻度の高い挿入方向を算出することができる。
【０１３４】
さらに、手の挿入が検知されなくなり、前記ファンモーター４が停止してから、前記ルーバー１０と前記ルーバー１４の向きを変更するために、前記ルーバー可動手段１１は、前記制御部６が最も頻度の高い挿入方向を判断した結果と同一方向にするために動作し、次回の前記手検知センサー７と前記手検知センサー１３が反応するまで待機状態を継続する。
【０１３５】
また、手の中心を認識するために、前記手検知センサー７と前記手検知センサー１３のｙ２軸に対するｘ軸の動きとｙ２軸に対するｚ軸の動きの交点に着目し、前記制御部６に搭載された前記記憶装置９は、手の挿入が検知された直後から手の挿入が検知しなくなるまでの間、ｙ２軸に対するｘ軸の動きとｙ２軸に対するｚ軸の動きの交点を一時的に記憶しながら、前記制御部６に手の中心の動きの情報を伝達することができるため、手の中心を空間として、認識することができる。
【０１３６】
さらに、前記制御部６に伝達された情報は、前記ルーバー１０と前記ルーバー１４の前記ルーバー可動手段１１へ伝達され、前記制御部６の高速処理で、手の動きに合わせて前記ルーバー可動手段１１を動作させることで、前記ルーバー１０と前記ルーバー１４が可動させることができる。
【０１３７】
また、前記ルーバー１０と前記ルーバー１４の動作で、常時、手の挿入角度と同一方向に送風することが可能となる。
【０１３８】
さらに、図７に示すように、手乾燥装置の運転に関するブロック構成図で説明すると、一般的な動きとしては、手を検知した前記手検知部５と前記手検知部１２は、検知信号を前記制御部６へ送信し、前記制御部６は、前記手検知部５と前記手検知部１２が手を検知している間、前記ファンモーター４の動作を継続する信号を出し続けることで、手を乾燥することができる。
【０１３９】
また、本請求項７については、前記手検知部５と前記手検知部１２の前記手検知センサー７と前記手検知センサー１３の手の検知範囲から挿入角度を認識する処理３５が実施され、手の挿入が検知されなくなり、前記ファンモーター４が停止してから、前記制御部６が最も頻度の高い挿入方向を算出し、結果を前記ルーバー可動手段１１へ、処理３６が実施されて、前記ルーバー１０と前記ルーバー１４は、最も頻度の高い挿入方向に設定されたまま待機することになる。
【０１４０】
さらに、本請求項８については、手の挿入角度を認識する処理３５が実施された結果より、前記制御部６は、手の中心を認識することができる。
【０１４１】
また、本請求項９については、手の挿入角度を認識する処理３５が実施され、前記制御部６は、手の中心を認識した結果より、前記ルーバー可動手段１１へ、処理３６が実施されて、手の動きに合わせて前記ルーバー可動手段１１を動作させることで、前記ルーバー１０と前記ルーバー１４が可動させることができ、常時、手の挿入角度と同一方向に送風することが可能となる。
【０１４２】
上記構成において、前記手検知部５と前記手検知部１２の前記手検知センサー７と前記手検知センサー１３より、手の検知の有無だけでなく、手の挿入角度を記憶し、最も頻度の高い挿入角を算出し、前記ノズル３内の前記ルーバー１０と前記ルーバー１４の向きを前記ルーバー可動手段１１にて予め同一方向に設定させて待機することができる。
【０１４３】
また、手の検知範囲から前記手検知部５の真中の前記手検知センサー７と前記手検知部１２の真中の前記手検知センサー１３は、挿入された手の中心と認識するようにし、中心を追従することを可能とすることができる。
【０１４４】
さらに、前記手検知部５の真中の前記手検知センサー７と前記手検知部１２の真中の前記手検知センサー１３は、手の動きにあわせて自動追従をしながら、同時に前記ノズル３内の前記ルーバー１０と前記ルーバー１４の向きも前記ルーバー可動手段１１にて連動させることができる。
【０１４５】
また、前記手検知部５の前記手検知センサー７と前記手検知部１２の前記手検知センサー１３が非検知になったときに、追加された手の挿入角度のデータを更新し、新たに高い挿入角を算出し、ノズル３内の前記ルーバー１０とルーバー１４の向きをルーバー可動手段１１にて予め同一方向に設定させて待機することができる。
【０１４６】
（実施の形態４）
図８は、本実施の形態４における手乾燥装置の側断面図を示す。
【０１４７】
図９は、同手乾燥装置の運転に関するブロック構成図を示す。
【０１４８】
図８に示すように、開口した挿入口から手を抜き差しされたことを検知する前記手検知部５と前記手検知部１２と、前記手検知部５と前記手検知部１２からの信号より前記ファンモーター４を動作させる前記制御部６と、前記手検知部５と、前記手検出部１２に複数個、縦横方向に設けられた前記手検知センサー７と前記手検知センサー１３、前記手乾燥装置本体８と、縦横方向の手の挿入角度の信号を検知した前記制御部６に搭載された前記記憶装置９と、前記ノズル３からの空気の方向を変更できる縦横方向の前記ルーバー１０と前記ルーバー１４と、縦横方向の前記ルーバー１０と前記ルーバー１４は、前記記憶装置９の情報により可動する前記ルーバー可動手段１１と、複数個、縦方向に設けられた吸込み口１５と、前記吸込み口１５には、開閉する吸込み口開閉手段１６を備えた構成である。
【０１４９】
また、前記吸込み口１５と吸込み口開閉手段１６の一例として、上下方向に３個存在させた場合、上段から吸込み口１５ａと吸込み口開閉手段１６ａ、中段を吸込み口１５ｂと吸込み口開閉手段１６ｂ、下段を吸込み口１５ｃと吸込み口開閉手段１６ｃを設けている。
【０１５０】
さらに、吸込み口開閉手段１６ａ、１６ｂ、１６ｃは、前記手検知センサー７と前記手検知センサー１３の手の縦横方向の挿入角度を認識した結果より、いづれか１つが前記制御部６からの信号で、吸込み口開閉手段１６ａ、１６ｂ、１６ｃが瞬時に開閉動作を行い、吸込み口１５ａ、１５ｂ、１５ｃのいづれか１つの吸込み口から高速空気流を吸い込むことができる。
【０１５１】
また、手の縦横方向の挿入角度が変更されたら、新たに認識した結果より、いづれか１つが前記制御部６からの信号で、吸込み口開閉手段１６ａ、１６ｂ、１６ｃが瞬時に開閉動作を行い、吸込み口１５ａ、１５ｂ、１５ｃのいづれか１つの吸込み口から高速空気流を吸い込むことができる。
【０１５２】
さらに、手の縦横方向の挿入角度と高速空気流の吸込み口１５ａ、１５ｂ、１５ｃの関係については、手の縦横方向の挿入角度の延長上にある同一方向の最短距離の吸込み口を前期制御部６が挿入角度から判断し、吸込み口開閉手段１６ａ、１６ｂ、１６ｃを制御することができる。
【０１５３】
さらに、図９に示すように、手乾燥装置の運転に関するブロック構成図で説明すると、一般的な動きとしては、手を検知した前記手検知部５と前記手検知部１２は、検知信号を前記制御部６へ送信し、前記制御部６は、前記手検知部５と前記手検知部１２が手を検知している間、前記ファンモーター４の動作を継続する信号を出し続けることで、手を乾燥することができる。
【０１５４】
また、本請求項１３については、前記手検知部５と前記手検知部１２の前記手検知センサー７と前記手検知センサー１３の手の検知範囲から挿入角度を認識する処理３５が実施され、手の挿入角度の結果より、前記制御部６が最も最適な吸い込み方向を算出し、結果を前記吸込み口開閉手段１６ａ、１６ｂ、１６ｃへ、処理３７が実施されて、前記吸込み口１５ａ、１５ｂ、１５ｃより、高速空気流を最短距離で吸い込むことができる。
【０１５５】
上記構成において、前記手検知部５と前記手検知部１２の前記手検知センサー７と前記手検知センサー１３の手の検知より、挿入角度の延長上にある同一方向の吸込み口１５ａ、１５ｂ、１５ｃから、手の付着した水分を最短距離で吸い込むことができる。
【産業上の利用可能性】
【０１５６】
本発明の手乾燥装置は、レストランやホテルなどの洗面所やトイレに設置され、また病院や手術室や調理場においても適用できる。
【図面の簡単な説明】
【０１５７】
【図１】本発明の実施の形態１の手乾燥装置を示す側断面図
【図２】同手乾燥装置の正面斜視図
【図３】同手乾燥装置の運転に関するブロック構成図
【図４】本発明の実施の形態２の手乾燥装置を示す側断面図
【図５】同手乾燥装置の運転に関するブロック構成図
【図６】本発明の実施の形態３の手乾燥装置を示す側断面図
【図７】同手乾燥装置の運転に関するブロック構成図
【図８】本発明の実施の形態４の手乾燥装置を示す側断面図
【図９】同手乾燥装置の運転に関するブロック構成図
【符号の説明】
【０１５８】
１      乾燥室
２      水受け部
３      ノズル
４      ファンモーター
５      手検知部
６      制御部
７      手検知センサー
８      手乾燥装置本体
９      記憶装置
１０    ルーバー
１１    ルーバー可動手段
１２    手検知部
１３    手検知センサー
１４    ルーバー
１５ａ  吸込み口
１５ｂ  吸込み口
１５ｃ  吸込み口
１６ａ  吸込み口開閉手段
１６ｂ  吸込み口開閉手段
１６ｃ  吸込み口開閉手段
【図１】
2009165617.tif 000003
【図２】
2009165617.tif 000004
【図３】
2009165617.tif 000005
【図４】
2009165617.tif 000006
【図５】
2009165617.tif 000007
【図６】
2009165617.tif 000008
【図７】
2009165617.tif 000009
【図８】
2009165617.tif 000010
【図９】
2009165617.tif 000011